【手続補正書】
【提出日】平成25年11月21日(2013.11.21)
【手続補正１】
【補正対象書類名】特許請求の範囲
【補正対象項目名】全文
【補正方法】変更
【補正の内容】
【特許請求の範囲】
【請求項１】
制御部と記憶部とを少なくとも備えたナビゲーションサーバ、および、制御部と記憶部とを少なくとも備えた端末装置、を通信可能に接続したナビゲーションシステムであって、
上記ナビゲーションサーバの上記記憶部は、
複数のバージョンの地図情報と当該地図情報のバージョン情報とを対応付けて記憶するサーバ地図情報記憶手段、
を備え、
上記端末装置の上記記憶部は、
更新可能な上記地図情報と当該地図情報の上記バージョン情報とを対応付けて記憶する更新用地図情報記憶手段、
を備え、
上記ナビゲーションサーバの上記制御部は、
上記端末装置の上記更新用地図情報記憶手段に記憶された上記バージョン情報と、上記サーバ地図情報記憶手段に記憶された最新の上記バージョンの上記地図情報の上記バージョン情報と、に差異がある場合、上記端末装置の上記更新用地図情報記憶手段に記憶された上記バージョン情報に対応する上記サーバ地図情報記憶手段に記憶された上記地図情報と、上記サーバ地図情報記憶手段に記憶された上記最新のバージョンの地図情報と、に差異があるか否か判定する地図情報判定手段と、
上記地図情報判定手段による上記判定に基づく比較結果を上記端末装置に送信する比較結果送信手段と、
を備え、
上記端末装置の上記制御部は、
上記ナビゲーションサーバから送信される上記比較結果を受信する比較結果受信手段と、
上記比較結果受信手段により受信された上記比較結果を上記更新用地図情報記憶手段に格納する比較結果格納手段と、
を備えたことを特徴とする、ナビゲーションシステム。
【請求項２】
請求項１に記載のナビゲーションシステムにおいて、
上記端末装置の上記制御部は、
上記ナビゲーションサーバから送信される上記最新のバージョンの地図情報のバージョン情報を受信する最新バージョン情報受信手段と、
上記最新のバージョンの地図情報のバージョン情報と、上記更新用地図情報記憶手段に記憶された上記バージョン情報と、に差異があるか否か判定する更新バージョン情報判定手段と、
上記更新バージョン情報判定手段により上記差異があると判定された場合、上記更新用地図情報記憶手段に記憶された上記バージョン情報を含む地図情報比較要求を上記ナビゲーションサーバに送信する地図情報比較要求送信手段と、
を更に備えたことを特徴とする、ナビゲーションシステム。
【請求項３】
請求項２に記載のナビゲーションシステムにおいて、
上記端末装置の上記記憶部は、
上記最新のバージョンの地図情報のバージョン情報を記憶する最新バージョン情報記憶手段、
を更に備え、
上記更新バージョン情報判定手段は、
上記最新バージョン情報記憶手段に記憶された上記最新のバージョンの地図情報のバージョン情報と、上記更新用地図情報記憶手段に記憶された上記バージョン情報と、に差異があるか否か判定することを特徴とする、ナビゲーションシステム。
【請求項４】
請求項２または３に記載のナビゲーションシステムにおいて、
上記端末装置の上記記憶部は、
非更新用の上記地図情報と当該地図情報の上記バージョン情報とを対応付けて記憶する非更新用地図情報記憶手段、
を更に備え、
上記端末装置の上記制御部は、
上記最新のバージョンの地図情報のバージョン情報と、上記非更新用地図情報記憶手段に記憶された当該地図情報の上記バージョン情報と、に差異があるか否か判定する非更新バージョン情報判定手段、
を更に備え、
上記更新バージョン情報判定手段は、
上記非更新バージョン情報判定手段により上記差異があると判定された場合、上記最新のバージョンの地図情報のバージョン情報と、上記更新用地図情報記憶手段に記憶された当該地図情報の上記バージョン情報と、に差異があるか否か判定することを特徴とする、ナビゲーションシステム。
【請求項５】
請求項２乃至４のいずれか一つに記載のナビゲーションシステムにおいて、
上記最新バージョン情報受信手段は、
上記端末装置の起動時に、上記ナビゲーションサーバから送信される上記最新のバージョンの地図情報のバージョン情報を受信することを特徴とする、ナビゲーションシステム。
【請求項６】
請求項１に記載のナビゲーションシステムにおいて、
上記ナビゲーションサーバの上記記憶部は、
上記端末装置の上記更新用地図情報記憶手段に記憶された上記バージョン情報を記憶する端末バージョン情報記憶手段、
を更に備え、
上記ナビゲーションサーバの上記制御部は、
上記最新のバージョンの地図情報のバージョン情報と、上記端末バージョン情報記憶手段に記憶された上記バージョン情報と、に差異があるか否か判定する端末バージョン情報判定手段、
を更に備えたことを特徴とする、ナビゲーションシステム。
【請求項７】
請求項６に記載のナビゲーションシステムにおいて、
上記端末バージョン情報判定手段は、
上記サーバ地図情報記憶手段に上記最新のバージョンの地図情報と当該地図情報の上記バージョン情報とが対応付けて格納された場合、当該最新のバージョンの地図情報のバージョン情報と、上記端末バージョン情報記憶手段に記憶された上記バージョン情報と、に差異があるか否か判定することを特徴とする、ナビゲーションシステム。
【請求項８】
請求項１乃至７のいずれか一つに記載のナビゲーションシステムにおいて、
上記比較結果送信手段は、
上記地図情報判定手段により上記端末装置の上記更新用地図情報記憶手段に記憶された上記バージョン情報に対応する上記地図情報と、上記最新のバージョンの地図情報と、に差異があると判定された場合、上記最新のバージョンの地図情報と当該地図情報のバージョン情報とを含む上記比較結果を上記端末装置に送信することを特徴とする、ナビゲーションシステム。
【請求項９】
制御部と記憶部とを少なくとも備えたナビゲーションサーバ、および、制御部と記憶部とを少なくとも備えた端末装置、を通信可能に接続したナビゲーションシステムにおいて実行されるナビゲーション方法であって、
上記ナビゲーションサーバの上記記憶部は、
複数のバージョンの地図情報と当該地図情報のバージョン情報とを対応付けて記憶するサーバ地図情報記憶手段、
を備え、
上記端末装置の上記記憶部は、
更新可能な上記地図情報と当該地図情報の上記バージョン情報とを対応付けて記憶する更新用地図情報記憶手段、
を備え、
上記ナビゲーションサーバの上記制御部において実行される、上記端末装置の上記更新用地図情報記憶手段に記憶された上記バージョン情報と、上記サーバ地図情報記憶手段に記憶された最新の上記バージョンの上記地図情報の上記バージョン情報と、に差異がある場合、上記端末装置の上記更新用地図情報記憶手段に記憶された上記バージョン情報に対応する上記サーバ地図情報記憶手段に記憶された上記地図情報と、上記サーバ地図情報記憶手段に記憶された上記最新のバージョンの地図情報と、に差異があるか否か判定する地図情報判定ステップと、
上記ナビゲーションサーバの上記制御部において実行される、上記地図情報判定ステップによる上記判定に基づく比較結果を上記端末装置に送信する比較結果送信ステップと、
上記端末装置の上記制御部において実行される、上記ナビゲーションサーバから送信される上記比較結果を受信する比較結果受信ステップと、
上記端末装置の上記制御部において実行される、上記比較結果受信ステップにて受信された上記比較結果を上記更新用地図情報記憶手段に格納する比較結果格納ステップと、
を含むことを特徴とする、ナビゲーション方法。
【請求項１０】
記憶部を少なくとも備えた端末装置に通信可能に接続された、制御部と記憶部とを少なくとも備えたナビゲーションサーバに実行させるためのプログラムであって、
上記ナビゲーションサーバの上記記憶部は、
複数のバージョンの地図情報と当該地図情報のバージョン情報とを対応付けて記憶するサーバ地図情報記憶手段、
を備え、
上記制御部において、
上記端末装置の上記記憶部に記憶された上記バージョン情報と、上記サーバ地図情報記憶手段に記憶された最新の上記バージョンの上記地図情報の上記バージョン情報と、に差異がある場合、上記端末装置の上記記憶部に記憶された上記バージョン情報に対応する上記サーバ地図情報記憶手段に記憶された上記地図情報と、上記サーバ地図情報記憶手段に記憶された上記最新のバージョンの地図情報と、に差異があるか否か判定する地図情報判定ステップと、
上記地図情報判定ステップによる上記判定に基づく比較結果を上記端末装置に送信する比較結果送信ステップと、
を実行させるためのプログラム。